(57)【要約】      （修正有）【課題】ラック内でのシャーシの位置を安定させるスライドレールキットを提供する。【解決手段】スライドレールキットは、シャーシ（ｃｈａｓｓｉｓ）をラック（ｒａｃｋ）に取り付ける際に用いるものである。スライドレールキットは嵌着部材を少なくとも含む。嵌着部材は、本体部６０、第一嵌合部６２、及び第二嵌合部６４を含む。第一嵌合部６２及び第二嵌合部６４は垂直に本体部６０の一端に連結されている。第二嵌合部６４は第一嵌合部６２の一端から湾曲して延長する。これにより、スライドレールキットが第一ラック支柱に結合した時、第二嵌合部６４と第一ラック支柱との間には嵌着空間６６が形成される。シャーシの鈎部は嵌着部材の嵌着空間６６内に入り込んで第二嵌合部６４と押圧し合うため、シャーシは、ラック内に取り付けられた状態を維持する時、任意にラック内から飛び出すことがない。【選択図】図２
0003189902.tif 000002
【実用新案登録請求の範囲】
【請求項１】
鈎部を有するシャーシを、いずれも複数の穴が形成されている第一ラック支柱及び第二ラック支柱を有するラックに取り付ける際に用いるスライドレールキットであって、
第一レール、第二レール、第一ブラケット、及び第二ブラケットを備え、
前記第一レールは、第一端および前記第一端に相対する第二端を有し、第一縦方向通路を形成し、
前記第二レールは第一レールの第一縦方向通路に沿って移動可能であり、
前記第一ブラケットは、一端が前記第一レールの前記第一端に連結されており、他端が前記ラックの前記第一ラック支柱に取り付けられており、
前記第二ブラケットは、一端が前記第一レールの前記第二端に連結されており、他端が前記ラックの前記第二ラック支柱に取り付けられており、
前記第一ブラケットは、取付板、嵌着部材、及び弾性部材を含むものであり、
前記取付板は、第一部分及び第二部分を有し、前記第二部分が前記第一部分の一端から湾曲して延長しており、
前記嵌着部材は、前記取付板に軸着されており、本体部、第一嵌合部、及び第二嵌合部を有し、前記第一嵌合部及び前記第二嵌合部が垂直に前記本体部の一端に連結されており、前記第二嵌合部が前記第一嵌合部の一端から湾曲して延長することで、前記第一ラック支柱と前記第二嵌合部との間に嵌着空間が形成されており、
前記弾性部材は、弾力を前記嵌着部材に与え、
前記嵌着部材の第一嵌合部は、弾力の働きで前記第一ラック支柱に引き掛かり支持する状態を保ち、
前記シャーシの前記鈎部は、前記ラックの前記第一ラック支柱と前記嵌着部材の前記第二嵌合部との間の前記嵌着空間内に入り込み、前記第二嵌合部と押圧し合い、前記シャーシを前記ラック内に取り付けた状態を維持する時、任意に前記ラック内から飛び出すことを抑制することを特徴とするスライドレールキット。
【請求項２】
第三レールをさらに備え、
前記第三レールは、移動可能に前記第一レールと前記第二レールとの間に連結されており、前記第一レール、前記第二レール、及び前記第三レールによって三段階のスライドレールが形成されることを特徴とする請求項１に記載のスライドレールキット。
【請求項３】
背面板をさらに備え、
前記背面板は、前記第一レールの第一端に固設されており、第二縦方向通路が形成されており、
前記第二縦方向通路は、前記第一ブラケットの前記取付板を移動可能に前記背面板に連結させるのに用いられ、
前記第一ブラケットは、前記背面板に沿って縦方向に移動可能であることを特徴とする請求項１に記載のスライドレールキット。
【請求項４】
前記第一ブラケットは、少なくとも一つの挿入部材を有し、
前記挿入部材は、前記取付板の前記第二部分に設置されており、前記第一ラック支柱の複数の穴の一つに貫設するのに用いられることを特徴とする請求項１に記載のスライドレールキット。
【請求項５】
前記嵌着部材は、前記本体部に連接する操作部をさらに有し、
前記取付板は、凹部をさらに有し、
前記凹部は、前記取付板の前記第一部分と前記第二部分との間に位置し、前記嵌着部材の前記操作部が操作された時、前記操作部を収納するのに用いられることを特徴とする請求項１に記載のスライドレールキット。
【請求項６】
第一レール、第二レール、第三レール、第一ブラケット、及び第二ブラケットを備え、
前記第一レールは、第一端と第一端に相対する第二端とを有し、
前記第三レールは移動可能に第一レールと第二レールの間に連結されており、
前記第一ブラケットは第一レールの第一端に連結されており、
前記第二ブラケットは第一レールの第二端に連結されており、
前記第一ブラケットは、取付板、少なくとも一つの挿入部材、嵌着部材、及び弾性部材を含有し、
前記取付板は、第一部分及び第二部分を有し、前記第二部分が前記第一部分の一端から湾曲して延長しており、
前記挿入部材は、前記取付板の前記第二部分に設置されており、
前記嵌着部材は、前記取付板に軸着されており、本体部、第一嵌合部、及び第二嵌合部を有し、前記第一嵌合部及び前記第二嵌合部が、垂直に前記本体部の一端に連結されており、前記第二嵌合部が前記第一嵌合部の一端から湾曲して延長し、
前記弾性部材は、弾力を前記嵌着部材に伝え、
前記嵌着部材の前記第一嵌合部は、弾力の働きにより、前記挿入部材に近づく状態を維持することを特徴とするスライドレールキット。
【請求項７】
背面板をさらに備え、
前記背面板は、前記第一レールに固設されており、
前記取付板は、移動可能に前記背面板に設けられており、
前記第一ブラケットは、前記背面板に沿って縦方向に移動可能であることを特徴とする請求項６に記載のスライドレールキット。
【請求項８】
前記嵌着部材は、前記本体部に連接する操作部をさらに有し、
前記取付板は、凹部をさらに有し、
前記凹部は、前記第一部分と前記第二部分との間に設けられており、前記嵌着部材の前記操作部が操作された時、前記操作部を収納するのに用いられることを特徴とする請求項６に記載のスライドレールキット。
【考案の詳細な説明】
【技術分野】
【０００１】
本考案は、シャーシ（ｃｈａｓｓｉｓ）をラック（ｒａｃｋ）に取り付ける際に用いるスライドレールキットに関する。
【背景技術】
【０００２】
ラックシステムの構造に関し、既に公開されている特許文献１を参照する。
【０００３】
前記特許文献１に記載の発明の構造は、ラック（ｒａｃｋ）に用いられるブラケットアセンブリを含む。前記ラックには複数の貫通孔が設けられ、ブラケットアセンブリは、ブラケット、基本台、及び嵌合部材を有する。ブラケットには複数のブラケット孔が形成されている。基本台は安定した状態でブラケットに取り付けられている。前記基本台に設けられた複数の連接アセンブリはそれぞれ複数のブラケット孔に対応する。嵌合部材は、ブラケットに軸着する。前記嵌合部材には弾力足部及び嵌着アームを備え、前記嵌着アームには少なくとも一つの嵌合部が設けられている。前記基本台の連接アセンブリはラックの貫通孔に貫通する。嵌合部材の嵌合部はラックに嵌着してそれを押圧する。
【先行技術文献】
【特許文献】
【０００４】
【特許文献１】米国特許第８，３７１，４５４号明細書
【考案の概要】
【考案が解決しようとする課題】
【０００５】
しかしながら、従来の発明では、シャーシ（ｃｈａｓｓｉｓ）をラックに固定する安全装置がないため、シャーシがラックをスライドする場合、設備が損傷を受けるおそれがある。
【０００６】
本考案の目的は、ラック内でのシャーシの位置を安定させるスライドレールキットを提供することにある。
【課題を解決するための手段】
【０００７】
本考案のスライドレールキットは、シャーシ（ｃｈａｓｓｉｓ）をラック（ｒａｃｋ）に取り付ける際に用いるものである。ラックは少なくとも第一ラック支柱及び第二ラック支柱を含む。第一ラック支柱及び第二ラック支柱にはいずれも複数の穴が形成されている。シャーシは鈎部を有する。スライドレールキットは第一レール、第二レール、第一ブラケット、及び第二ブラケットを有する。第一レールは、第一端と第一端に相対する第二端を有し、尚且つ第一縦方向通路を設ける。第二レールは第一レールの第一縦方向通路に沿って移動可能である。第一ブラケットは、一端が第一レールの第一端に連結されており、他端がラックの第一ラック支柱に取り付けられている。第二ブラケットは、一端が第一レールの第二端に連結されており、他端がラックの第二ラック支柱に取り付けられている。第一ブラケットは、取付板、嵌着部材、及び弾性部材を含む。取付板は、第一部分及び第二部分を有し、第二部分が第一部分の一端から湾曲して延長する。嵌着部材は、取付板に軸着されており、本体部、第一嵌合部、及び第二嵌合部を有する。第一嵌合部及び第二嵌合部は垂直に本体部の一端に連結されており、第二嵌合部は第一嵌合部の一端から湾曲して延長する。これにより、第一ラック支柱と第二嵌合部の間には嵌着空間が形成される。弾性部材は、弾力を嵌着部材に与える。嵌着部材の第一嵌合部は、弾力の働きで第一ラック支柱に引き掛かり支持する状態を保つ。シャーシの鈎部は、ラックの第一ラック支柱と嵌着部材の第二嵌合部との間の嵌着空間内に入り込み、第二嵌合部と押圧し合い、シャーシをラック内に取り付けた状態を維持する時、任意にラック内から飛び出すことを抑制する。
【０００８】
スライドレールキットは第三レールをさらに備える。第三レールは移動可能に第一レールと第二レールの間に連結されている。これにより、第一レール、第二レール、及び第三レールによって三段階のスライドレールが形成される。
【０００９】
スライドレールキットは背面板をさらに備える。背面板は第一レールの第一端に固設されている。背面板に形成された第二縦方向通路は、第一ブラケットの取付板を移動可能に背面板に連結するのに用いられ、第一ブラケットは背面板に沿って縦方向に移動することができる。
【００１０】
第一ブラケットは、少なくとも一つの挿入部材を含む。挿入部材は取付板の第二部分に設置されており、挿入部材は第一ラック支柱の複数の穴の一つに貫設するのに用いられる。
【００１１】
嵌着部材は、本体部に連接する操作部をさらに含む。取付板は、凹部をさらに含む。凹部は取付板の第一部分と第二部分の間に位置する。これにより、嵌着部材の操作部が操作された時、凹部は操作部を収納するのに用いられる。
【００１２】
また、本考案によるスライドレールキットは、第一レール、第二レール、第三レール、第一ブラケット、及び第二ブラケットを有する。第一レールは第一端と第一端に相対する第二端を有する。第三レールは移動可能に第一レールと第二レールの間に連結されている。第一ブラケットは第一レールに第一端に連結されており、第二ブラケットは第一レールの第二端に連結されている。第一ブラケットは、取付板、少なくとも一つの挿入部材、嵌着部材、及び弾性部材を含む。取付板は第一部分及び第二部分を有する。第二部分は第一部分の一端から湾曲して延長する。挿入部材は取付板の第二部分に設置されている。嵌着部材は、取付板に軸着されており、本体部、第一嵌合部、及び第二嵌合部を有する。第一嵌合部及び第二嵌合部は垂直に本体部の一端に連結されている。第二嵌合部は第一嵌合部の一端から湾曲して延長する。弾性部材は、弾力を嵌着部材に伝え、これにより、嵌着部材の第一嵌合部は、弾力の働きにより、少なくとも一つの挿入部材に近づく状態を維持する。
【００１３】
スライドレールキットは背面板をさらに備える。背面板は第一レールに固設されている。取付板は、移動可能に背面板に設けられており、第一ブラケットは背面板に沿って縦方向に移動する。
【００１４】
嵌着部材は、本体部に連接する操作部をさらに含む。取付板は凹部をさらに含み、凹部は第一部分と第二部分の間に設けられている。これにより、嵌着部材の操作部が操作された時、凹部は操作部を収納するのに用いられる。
【００１５】
本考案のスライドレールキットは、スライドレールキットがシャーシをラック内に安定した状態で配置することができるため、シャーシが任意にラック内から飛び出すことを抑制する効果を有する。
【図面の簡単な説明】
【００１６】
【図１】本考案の一実施形態によるスライドレールキットをラックに取り付けた状態を示す斜視図である。
【図２】本考案の一実施形態によるスライドレールキットを示す分解図である。
【図３】本考案の一実施形態によるスライドレールキットの取付板の要部を示す拡大図である。
【図４Ａ】図１の第一ブラケットを第一ラック支柱に結合した状態を示す要部拡大図である。
【図４Ｂ】図１の第一ブラケットを第一ラック支柱に結合した状態を示す要部拡大図である。
【図５Ａ】本考案の一実施形態によるスライドレールキットの第一ブラケットを第一ラック支柱に取り付ける状態を示す操作図（一）である。
【図５Ｂ】本考案の一実施形態によるスライドレールキットの第一ブラケットを第一ラック支柱に取り付ける状態を示す操作図（二）である。
【図５Ｃ】本考案の一実施形態によるスライドレールキットの第一ブラケットを第一ラック支柱に取り付ける状態を示す操作図（三）である。
【図６】本考案の一実施形態によるシャーシをラックに取り付けた状態を示す平面図である。
【図７】本考案の一実施形態によるシャーシをラックに取り付けた状態を示す側面図である。
【図８】本考案の一実施形態によるシャーシをラックに取り付ける操作を示す側面図である。
【考案を実施するための形態】
【００１７】
（一実施形態）
図１及び図２を参照する。図１は本考案の一実施形態によるスライドレールキットをラックに取り付けた状態を示す斜視図であり、図２は本考案の一実施形態によるスライドレールキットを示す分解図である。
【００１８】
図１及び図２に示すとおり、本考案の一実施形態によるスライドレールキットは、ラック（ｒａｃｋ）１０及びスライドレールキット１２を備える。スライドレールキット１２はシャーシ（ｃｈａｓｓｉｓ）をラック１０に取り付けるのに用いられ、ラック１０は少なくとも第一ラック支柱１３及び第二ラック支柱１４を含む。第一ラック支柱１３及び第二ラック支柱１４にはいずれも複数の穴１６が形成されている。スライドレールキット１２はラック１０の第一ラック支柱１３及び第二ラック支柱１４の間に取り付けられ、スライドレールキット１２は第一レール１８、第二レール２６、第一ブラケット２８、及び第二ブラケット３０を有する。
【００１９】
第一レール１８は第一端２０と第一端２０に相対する第二端２２をゆうし、第一縦方向通路２４が設けられている。第二レール２６は第一レール１８の第一縦方向通路２４に相対し移動可能である。スライドレールキット１２は第三レール２９をさらに含み、第三レール２９は移動可能に第一レール１８と第二レール２６の間に連結されている。これにより、第一レール１８、第二レール２６、及び第三レール２９によって三段階のスライドレールが形成され、引き出すストロークの長さを延長することができる。
【００２０】
第一ブラケット２８の一端は第一レール１８の第一端２０に連結されている。使用する際、第一ブラケット２８の別の一端はラック１０の第一ラック支柱１３に取り付けられている。第二ブラケット３０の一端は第一レール１８の第二端２２に連結されており、第二ブラケット３０の別の一端はラック１０の第二ラック支柱１４に取り付けられている。
【００２１】
第一ブラケット２８は、取付板３４、連接部材３６、少なくとも一つの挿入部材５０、及び嵌着部材５８を含む。スライドレールキット１２は背面板３２をさらに含み、背面板３２は第一レール１８に取り付けられており、第一ブラケット２８を用いて連結する。一実施形態において、背面板３２は第一レール１８の第一端２０に取り付けて固定されている。背面板３２には上壁４０、下壁４２、及び、上壁４０と下壁４２とを連結する側板３８が設けられている。側板３８、上壁４０、及び下壁４２は、共同で第二縦方向通路４４を形成する。第一ブラケット２８の取付板３４は移動可能に背面板３２に連結されている。これにより、第一ブラケット２８は背面板３２に沿って縦方向に移動する。
【００２２】
具体的に、取付板３４は第一部分４６及び第二部分４８を有する。第二部分４８は第一部分４６の一端から湾曲して延長する。本実施形態において、取付板３４の第一部分４６は、背面板３２の第二縦方向通路４４内に移動可能に連結されている。これにより、第一ブラケット２８は背面板３２に沿って縦方向に移動する。連接部材３６にはリベット接合部５２、枢着部５４、及び押圧部５６が設けられている。連接部材３６は、リベット接合部５２を用いて取付板３４の第二部分４８に連結かつ固定されている。
【００２３】
図３は本考案の一実施形態によるスライドレールキットの取付板の要部拡大図を示す。少なくとも一つの挿入部材５０は、取付板３４の第二部分４８が縦方向に設置されている。これにより、取付板３４は挿入部材５０が第一ラック支柱１３の複数の穴１６に貫設されており、スライドレールキット１２の一端が第一ラック支柱１３に連結されている。同様に、第二ブラケット３０の一端部にも少なくとも一つの挿入部材が配置されている。挿入部材は、第二ラック支柱１４の複数の穴１６の一つに挿入し、スライドレールキット１２の別の一端を第二ラック支柱１４に連結する。
【００２４】
次に図４Ａ及び図４Ｂを参照する。図４Ａ、４Ｂは図１の第一ブラケットを第一ラック支柱に結合した状態を示す要部拡大図である。
【００２５】
図４Ａ、図４Ｂに示すとおり、嵌着部材５８は、取付板３４の第二部分４８の近くの箇所に枢着されている。例えば、嵌着部材５８は連接部材３６の枢着部５４に軸着されており、取付板３４の第二部分４８の近くに配置されている。嵌着部材５８は、本体部６０、第一嵌合部６２、及び第二嵌合部６４を有する。第一嵌合部６２及び第二嵌合部６４は、垂直に本体部６０の一端に連結されており、第二嵌合部６４は第一嵌合部６２の一端から湾曲して延長する。これにより、第一ブラケットを第一ラック支柱１３に結合する時、第一嵌合部６２を第一ラック支柱１３に密着させそれを支持し、第二嵌合部３４と第一ラック支柱１３の間には嵌着空間６６が形成され、嵌着空間６６は幅Ｄを有する。
【００２６】
嵌着部材５８は本体部６０に連接する操作部６８をさらに含む。また、取付板３４は凹部７０をさらに含む。凹部７０は取付板３４の第一部分４６と第二部分４８の間に位置する。これにより、嵌着部材５８の操作部６８が操作された時（プッシュ時等）、凹部７０は操作部６８を収納する操作空間となる。
【００２７】
一実施形態において、第一ブラケット２８にはさらに弾性部材７２が設けられている。その一端が嵌着部材５８に連接されており、別の一端が連接部材３６の押圧部５６を圧する。弾性部材７２は嵌着部材５８に弾力を提供し、これにより、嵌着部材５８の第一嵌合部６２は弾性部材７２の弾力の働きにより、少なくとも一つの挿入部材５０に近づいてそれを保持し、第一ラック支柱１３に引き掛かり支持する。
【００２８】
図５Ａ、図５Ｂ、図５Ｃを参照する。図５Ａは本考案の一実施形態によるスライドレールキットの第一ブラケットを第一ラック支柱に取り付けた場合の操作図（一）であり、図５Ｂは本考案の一実施形態によるスライドレールキットの第一ブラケットを第一ラック支柱に取り付けた場合の操作図（二）であり、図５Ｃは本考案の一実施形態によるスライドレールキットの第一ブラケットを第一ラック支柱に取り付けた場合の操作図（三）である。
【００２９】
図５Ａ、図５Ｂに示すとおり、取り付け時、嵌着部材５８の操作部６８に対し力Ｆ１を加えると、嵌着部材５８の第一嵌合部６２及び第二嵌合部６４は挿入部材５０から一定距離離れる。同時に取付板３４に力Ｆ２を加えて、挿入部材５０を第一ラック支柱１３の複数の穴１６の一つに挿入すると、同時に力Ｆ１及び力Ｆ２が解除する（図５Ｃ参照）。嵌着部材５８の第一嵌合部６２及び第二嵌合部６４は、弾性部材７２が放出する弾力によって、挿入部材５０の近くまで元に戻るため、第一嵌合部６２は第一ラック支柱１３を引き掛けてその状態を維持する、第一ブラケット２８は第一ラック支柱１３に位置決めされて取り付けられる。
【００３０】
図６及び図７を参照する。図６は本考案の一実施形態によるシャーシをラックに取り付けた状態を示す平面図であり、図７は本考案の一実施形態によるシャーシをラックに取り付けた状態を示す側面図である。
【００３１】
図６、図７に示すとおり、本一実施形態はシャーシ（ｃｈａｓｓｉｓ）７４をさらに含み、シャーシ７４の一方とスライドレールキット１２とが連接されている。シャーシ７４は嵌着装置８０を含む。嵌着装置８０は第一ブラケット２８の嵌着部材５８の第二嵌合部６４に対応する。嵌着装置８０は制御部８２及び鈎部８４を含む。シャーシ７４がスライドレールキット１２に従ってラック１０内に収縮する時、鈎部８４は嵌着部材５８の第二嵌合部６４とラック１０の第一支柱１３との間の嵌着空間６６内に入り込み、並びに嵌着部材５８の第二嵌合部６４と押圧し合い、嵌着空間６６内に制限されるため、シャーシ７４は固定され、任意にラック１０内から飛び出すことがない。
【００３２】
図８は本考案の一実施形態によるシャーシをラックに取り付ける操作を示した側面図である。図８に示すとおり、力Ｆ３を制御部８２に加えると、鈎部８４は嵌着部材５８の嵌着空間６６を離脱する。それと同時に力Ｆ４をシャーシ７４に加えると、シャーシ７４はラック１０から引っ張り出される。
【００３３】
本考案は前述の実施形態で開示した通りであるが、それらによって本考案は制約を受けることなく、本考案の範囲は、実用新案登録請求の範囲を基準とする。
【符号の説明】
【００３４】
１０  ラック、
１２  スライドレールキット、
１３  第一ラック支柱、
１４  第二ラック支柱、
１６  穴、
１８  第一レール、
２０  第一端、
２２  第二端、
２４  第一縦方向通路、
２６  第二レール、
２９  第三レール、
３０  第二ブラケット、
３２  背面板、
３４  取付板、
３６  連接部材、
３８  側板、
４０  上壁、
４２  下壁、
４４  第二縦方向通路、
４６  第一部分、
４８  第二部分、
５０  挿入部材、
５２  リベット接合部、
５４  枢着部、
５６  押圧部、
５８  嵌着部材、
６０  本体部、
６２  第一嵌合部、
６４  第二嵌合部、
６６  嵌着空間、
６８  操作部、
７０  凹部、
７２  弾性部材、
７４  シャーシ、
８０  嵌着装置、
８２  制御部、
８４  鈎部、
１０  ラック、
Ｄ  幅、
Ｆ１  力、
Ｆ２  力、
Ｆ３  力、
Ｆ４  力。
【図１】
0003189902.tif 000003
【図２】
0003189902.tif 000004
【図３】
0003189902.tif 000005
【図４Ａ】
0003189902.tif 000006
【図４Ｂ】
0003189902.tif 000007
【図５Ａ】
0003189902.tif 000008
【図５Ｂ】
0003189902.tif 000009
【図５Ｃ】
0003189902.tif 000010
【図６】
0003189902.tif 000011
【図７】
0003189902.tif 000012
【図８】
0003189902.tif 000013